(57)【特許請求の範囲】
【請求項１】
下階の鋼管コンクリート柱の上端と、その上に立設された上階の鋼管コンクリート柱の下端との間に鉄筋コンクリート梁が配設され、前記下階の鋼管コンクリート柱の上端と、上階の鋼管コンクリート柱の下端とには内側に突出したリブがそれぞれ設けられ、接合筋が鉄筋コンクリート梁を貫通して下階の鋼管コンクリート柱と上階の鋼管コンクリート柱とにわたって配筋されたことを特徴とする鋼管コンクリート柱と鉄筋コンクリート梁との接合部構造。
【請求項２】
リブは適宜大きさのものが適宜間隔をもって設けられたことを特徴とする請求項１に記載の鋼管コンクリート柱と鉄筋コンクリート梁の接合部構造。
【請求項３】
リブは鋼管コンクリート柱の鋼管の内面全周に設けられたことを特徴とする請求項１に記載の鋼管コンクリート柱と鉄筋コンクリート梁の接合部構造。
【請求項４】
接合筋はリブを貫通して配筋、またはリブの間に配筋されたことを特徴とする請求項２または３に記載の鋼管コンクリート柱と鉄筋コンクリート梁の接合部構造。
【発明の詳細な説明】
【０００１】
【発明の属する技術分野】
本発明は鋼管コンクリート柱と鉄筋コンクリート梁の接合部構造に関するものである。
【０００２】
【従来の技術】
従来、鋼管コンクリート柱と鉄筋コンクリート梁の接合部構造は、図４および図５に示すようなものがある。図４は下階の鋼管コンクリート柱１５の上端と、上階の鋼管コンクリート柱１６の下端との外面全周に水平スチフナー１７、１８を設け、これら上下の水平スチフナー１７、１８をアンカーボルト１９で接合して鋼管コンクリート柱１５、１６と鉄筋コンクリート梁２０とを一体接合している。また図５は下階および上階の鋼管コンクリート柱１５、１６の内面を粗面にするとともに、接合筋２１を、鉄筋コンクリート梁２０を貫通させて下階および上階の鋼管コンクリート柱１５、１６にわたって配筋したものである。
【０００３】
【発明が解決しようとする課題】
しかし、図４の接合部構造はボルトおよびナットが梁の上下面に出てしまう他、アンカーボルトが緩んで力の伝達が円滑に行われないという問題があった。また図５の接合部構造は鋼管の内面を粗面にするのが困難であるとともに、鉄筋コンクリート梁の主筋をセットするためのサポートを必要としていた。
【０００４】
本発明は、このような問題に鑑みてなされたものであり、その目的は、梁と柱の力の伝達が円滑に行われるとともに、鉄筋コンクリート梁の主筋がサポートを必要とせずにセットできる鋼管コンクリート柱と鉄筋コンクリート梁の接合部構造を提供することである。
【０００５】
【課題を解決するための手段】
以上の課題を解決するための鋼管コンクリート柱と鉄筋コンクリート梁との接合部構造は、下階の鋼管コンクリート柱の上端と、その上に立設された上階の鋼管コンクリート柱の下端との間に鉄筋コンクリート梁が配設され、前記下階の鋼管コンクリート柱の上端と、上階の鋼管コンクリート柱の下端とには内側に突出したリブがそれぞれ設けられ、接合筋が鉄筋コンクリート梁を貫通して下階の鋼管コンクリート柱と上階の鋼管コンクリート柱とにわたって配筋されたことを特徴とする。またリブは適宜大きさのものが適宜間隔をもって設けられたことを含む。またリブは鋼管コンクリート柱の鋼管の内面全周に設けられたことを含む。また接合筋はリブを貫通して配筋、またはリブの間に配筋されたことを含むものである。
【０００６】
接合筋の力はコンクリートを通して鋼管コンクリート柱の鋼管に伝達される一方、リブを通しても鋼管コンクリート柱の鋼管に伝達される。したがって、リブを設けたことにより接合筋の長さをより一層短くすることができる。また接合筋の本数に応じてリブを設けることができる。またリブから鋼管コンクリート柱の鋼管への力の伝達が円滑に行われる。また接合筋から鋼管コンクリート柱の鋼管への力の伝達が円滑に行われる。
【００１５】
【発明の実施の形態】
以下、本発明の鋼管コンクリート柱（以下、鋼管柱という）と鉄筋コンクリート梁（以下、梁という）の接合部構造の実施の形態を図面に基づいて説明する。図１の（１）は第１の実施の形態の鋼管柱と梁の接合部構造の断面図、（２）は（１）のＡ−Ａ線断面図である。
【００１６】
鋼管柱と梁の接合部構造１は、下階の鋼管柱（以下、下階柱という）２の上端面に梁３が載置され、その上に上階の鋼管柱（以下、上階柱という）４が立設し、これら下階柱２と上階柱４との間に梁３が設置された構成になっている。この接合部構造１は階高が６ｍ以上の、例えば倉庫などの構造物に使用することが最適である。
【００１７】
下階柱２と上階柱４の鋼管５内にはコンクリート６が充填され、下階柱２の上端面が梁３の下端筋７に当接され、上階柱４の下端面が梁３の上端筋８に当接されて、これら下階柱２と上階柱４と梁３とが一体接合されている。このように下階柱２の上端が梁３の下端筋７に当接されたことにより、該下端筋７をサポートなしで配筋することができる。また下階柱２と上階柱４とにわたって梁３を貫通した接合筋９が配筋されている。したがって、上階の荷重は接合筋９を通してコンクリート６から鋼管５へ円滑に伝達される。
【００１８】
図２は第２の実施の形態の鋼管柱と梁の接合部構造１０であり、下階柱２と上階柱４の鋼管５の内面全周にリブ１１を設け、該リブ１１を貫通して接合筋９が配筋されたものであり、この点以外は第１の実施の形態の鋼管柱と梁の接合部構造１と同じである。このように接合筋９がリブ１１を貫通して下階柱２と上階柱４とにわたって配筋されたことにより、上階の荷重は接合筋９を通してコンクリート６から鋼管５へ円滑に伝達される他、接合筋９を通してリブ１１からも鋼管５に伝達される。
【００１９】
図３は上記リブ１１の他の実施の形態を示したものであり、（１）は適宜大きさのリブ１２を鋼管５の内面に適宜間隔ごとに設け、該リブ１２に接合筋９を配筋したものである。これは接合筋９の数に応じてリブ１２を設けることができるという利点がある。また（２）は前記（１）と同様に、適宜大きさのリブ１２を鋼管５の内面に適宜間隔ごとに設け、これらリブ１２の間に接合筋９を配筋したものである。これも前記と同様に上階の荷重が接合筋９を通してコンクリート６から鋼管５へ円滑に伝達される他、接合筋９を通してリブ１２からも鋼管５に伝達される。さらに、（３）は鋼管５の内面全周に設けたリブ１３の内側に接合筋９を配筋したものであり、上記（１）および（２）と同様の効果を達成することができる。
【００２０】
【発明の効果】
梁の下端筋を下階柱の上端面に設置するだけで配筋することができるので、下端筋を配筋するためのサポートを必要としない接合部構造にすることができる。また梁からのせん断力が円滑に鋼管柱のコンクリートに伝達され、曲げモーメントも接合筋を長くすることにより鋼管柱のコンクリートへ円滑に伝達される。
【００２１】
接合筋の力はコンクリートを通して鋼管柱の鋼管に伝達される一方、リブを通しても鋼管コンクリート柱の鋼管に伝達される。したがって、リブを設けたことにより接合筋の長さをより一層短くすることができる。
【００２２】
接合筋の本数に応じてリブを設けることができる。
【００２３】
リブから鋼管コンクリート柱の鋼管への力の伝達が円滑に行われる。
【００２４】
接合筋から鋼管コンクリート柱の鋼管への力の伝達が円滑に行われる。
【図面の簡単な説明】
【図１】（１）は第１の実施の形態の鋼管柱と梁の接合部構造の断面図、（２）は（１）のＡ−Ａ線断面図である。
【図２】（１）は第２の実施の形態の鋼管柱と梁の接合部構造の断面図、（２）は（１）のＡ−Ａ線断面図である。
【図３】（１）〜（３）はリブの他の実施の形態を示す平面図である。
【図４】（１）は従来の鋼管柱と梁の接合部構造の断面図、（２）は（１）のＣ−Ｃ線断面図である。
【図５】（１）は従来の鋼管柱と梁の接合部構造の断面図、（２）は（１）のＤ−Ｄ線断面図である。
【符号の説明】
１、１０  鋼管柱と梁の接合部構造
２、１５  下階柱
３、２０  梁
４、１６  上階柱
５  鋼管
６  コンクリート
７  下端筋
８  上端筋
９、２１  接合筋
１１、１２、１３  リブ
１７、１８  水平スチフナー
【図１】
0003859408.tif 000002
【図２】
0003859408.tif 000003
【図３】
0003859408.tif 000004
【図４】
0003859408.tif 000005
【図５】
0003859408.tif 000006